(57)【要約】      （修正有）【課題】一対のレンズバリアを確実に開閉させて、レンズバリア装置の品質向上及び信頼性向上を図る。【解決手段】上下一対のレンズバリア１２，１２に形成した一対のトグルレバー係合用ボス部をリング１４の外周部位に形成した一対の凹状切欠部１４ｄ，１４ｄ内に遊嵌させて、前記一対のトグルレバー係合用ボス部をリング１４の正逆転に伴って一対の凹状切欠部１４ｄ，１４ｄ内の各端部で押しながらベース枠１７の外周部左右に回動自在に支持した一対のトグルレバー１５，１５に形成した一対の三角状カム部に沿って摺動させることで、一対のトグルレバー１５と一対のネジリバネ１６とによって、上下一対のレンズバリア１２，１２を閉じた状態又は開いた状態に保持させることを特徴とするレンズバリア装置１０。【選択図】図２
2011048221.tif 000002
【特許請求の範囲】
【請求項１】
撮影レンズを保護するレンズバリア装置であって、
一端側に形成された羽根部と、他端側に形成されたトグルレバー係合用ボス部と、中間部に形成された第１の軸孔とを有して、前記第１の軸孔の軸まわりに回動可能とされた一対のレンズバリアと、
第１の光通過孔を有し、前記一対のレンズバリアを前記第１の光通過孔を挟んで外周部に互に対向して前記第１の光通過孔に対して開閉可能に支持するレンズバリア支持枠と、
第２の光通過孔を有して前記レンズバリア支持枠と対向して配置され、且つ、前記一対のレンズバリアに形成した一対のトグルレバー係合用ボス部を遊嵌させた一対の凹状切欠部を前記第２の光通過孔を挟んで外周部に有し、レンズバリア閉じ位置とレンズバリア開き位置との間を正逆転するリングと、
第２の軸孔と、前記一対の凹状切欠部内に遊嵌させた前記一対のトグルレバー係合用ボス部が摺動する三角状カム部とを有して、前記第２の軸孔の軸まわりに回動可能とされた一対のトグルレバーと、
前記一対のトグルレバーを付勢する一対のバネと、
第３の光通過孔を有し、前記一対のトグルレバーを前記一対のバネで前記第３の光通過孔側に付勢しながら前記リングと対向する面の外周部上に前記第３の光通過孔を挟んで互に対向して回動可能に支持するベース枠と、備え、
前記一対のトグルレバー係合用ボス部を前記リングの正逆転に伴って前記一対の凹状切欠部内の各端部で押しながら前記一対の三角状カム部に沿って摺動させることで、前記一対のレンズバリアを、前記一対のトグルレバーと前記一対のバネとにより閉じた状態又は開いた状態に保持させることを特徴とするレンズバリア装置。
【請求項２】
前記一対のトグルレバー係合用ボス部を前記一対の三角状カム部のうちの一方の斜面側に位置させたときに、前記一対のレンズバリアを前記一対のトグルレバーを介して前記一対のバネで閉じ方向に付勢すると共に、前記一対のトグルレバー係合用ボス部を前記一対の三角状カム部のうちの他方の斜面側に位置させたときに、前記一対のレンズバリアを前記一対のトグルレバーを介して前記一対のバネで開き方向に付勢することを特徴とする請求項１記載のレンズバリア装置。
【請求項３】
前記リングをモータ駆動源により正逆転させることを特徴とする請求項１又は請求項２記載のレンズバリア装置。
【請求項４】
前記モータ駆動源により前記リングを回転させて少なくとも前記一対のレンズバリアが閉じ状態に至ったときに、前記リングを前記レンズバリア閉じ位置と前記レンズバリア開き位置との間に設定した中間位置に待機させることを特徴とする請求項３記載のレンズバリア装置。
【請求項５】
前記リングに形成したリング駆動用ボス部と、前記モータ駆動源と連結した減速用歯車列と、前記減速用歯車列中で所定の角度に亘って正逆転する最終段の歯車に一体的に掛止させた二股状ネジリバネとを備え、前記最終段の歯車と一体に正逆転する前記二股状ネジリバネの二股間に前記リング駆動用ボス部を係合させたことを特徴とする請求項３又は請求項４記載のレンズバリア装置。
【発明の詳細な説明】
【技術分野】
【０００１】
本発明は、撮影レンズを保護する一対のレンズバリアを正逆転可能なリングに連動して開閉させる際に、リングにレンズバリア開閉用のカム溝を形成することなく一対のレンズバリアを確実に開閉させることができるレンズバリア装置に関するものである。
【背景技術】
【０００２】
一般的に、カメラとかビデオカメラなどの前面側には撮影レンズを保護するためのレンズバリア装置が取り付けられている。
【０００３】
この種のレンズバリア装置は各種の構造形態があるものの、一例として、撮影レンズを保護する一対のレンズバリアを開閉する際に、一対のレンズバリアに形成した一対の係合ピンを正逆転可能な操作リングに形成したレンズバリア開閉用の一対のカム溝にそれぞれ係合させて、操作リングを所定の角度に亘って正逆転させる動作に伴って一対のカム溝の形状に応じて一対のレンズバリアを開閉させるレンズバリア装置がある（例えば、特許文献１参照）。
【０００４】
上記した特許文献１に開示された従来のレンズバリア装置では、ここでの図示を省略するが、一対の係合ピンを有する一対のレンズバリアと、一対のレンズバリを開閉可能に軸支させるレンズバリア支持用フレームと、所定の角度範囲に亘って正逆転可能に設けられ且つ一対のレンズバリアに形成した一対の係合ピンを内部に形成した一対のカム溝にそれぞれ係合させて、正逆転動作に伴って一対のレンズバリアを開閉させる操作リングと、レンズバリア支持用フレームに形成したトグルバネ掛止部と操作リングに形成したトグルバネ掛止部との間に取り付けられて、操作リングをレンズバリア閉じ位置側とレンズバリア開き位置側とにクリック感を持って付勢するトグルバネとを備えることにより、操作感が良いという効果が得られる旨が記載されている。
【先行技術文献】
【特許文献】
【０００５】
【特許文献１】特開２００７−３２２８７２号公報
【発明の概要】
【発明が解決しようとする課題】
【０００６】
ところで、特許文献１に開示された従来のレンズバリア装置では、一対のレンズバリアに形成した一対の係合ピンを正逆転可能な操作リングに形成したレンズバリア開閉用の一対のカム溝に係合させることで、操作リングを正逆転させたときに一対のカム溝の形状に応じて一対のレンズバリアを開閉できるものの、一対のカム溝の寸法ばらつきにより、一対のレンズバリアが完全に開ききらないとか、完全に閉まりきらないという問題が発生する可能性がある。
【０００７】
また、特許文献１に開示された従来のレンズバリア装置では、操作リングを手動により正逆転させて一対のレンズバリアを開閉しているが、一対のレンズバリアを自動的に開閉したい場合に対応できない構造である。
【０００８】
また、特許文献１に開示された従来のレンズバリア装置が何等かの理由により故障したときでも被写体を撮影しなければならない場合に、一対のレンズバリを手動で強制的に開こうとしても一対のカム溝の形状により開くことができず、緊急対応ができないという問題がある。
【０００９】
更に、特許文献１に開示された従来のレンズバリア装置とは異なる構造形態を適用した不図示のレンズバリア装置において、一対のレンズバリを手動で強制的に開くことができるものがあるが、この場合に一対のレンズバリは一般的に一対のバネにより閉じ方向に付勢されているために、一対のバネの付勢力により一対のレンズバリを開いた状態に保持できないので、この構造形態でも緊急対応ができないという問題がある。
【００１０】
そこで、撮影レンズを保護する一対のレンズバリアを正逆転可能なリングに連動して開閉させる際に、リングにレンズバリア開閉用のカム溝を形成することなく一対のレンズバリアを確実に開閉させて品質向上及び信頼性向上を図ることができ、更に、何等かの理由により故障したときでも一対のレンズバリアを開閉させることができるレンズバリア装置を提供することを目的とする。
【課題を解決するための手段】
【００１１】
本発明は上記課題に鑑みてなされたものであり、第１の発明は、撮影レンズを保護するレンズバリア装置であって、
一端側に形成された羽根部と、他端側に形成されたトグルレバー係合用ボス部と、中間部に形成された第１の軸孔とを有して、前記第１の軸孔の軸まわりに回動可能とされた一対のレンズバリアと、
第１の光通過孔を有し、前記一対のレンズバリアを前記第１の光通過孔を挟んで外周部に互に対向して前記第１の光通過孔に対して開閉可能に支持するレンズバリア支持枠と、
第２の光通過孔を有して前記レンズバリア支持枠と対向して配置され、且つ、前記一対のレンズバリアに形成した一対のトグルレバー係合用ボス部を遊嵌させた一対の凹状切欠部を前記第２の光通過孔を挟んで外周部に有し、レンズバリア閉じ位置とレンズバリア開き位置との間を正逆転するリングと、
第２の軸孔と、前記一対の凹状切欠部内に遊嵌させた前記一対のトグルレバー係合用ボス部が摺動する三角状カム部とを有して、前記第２の軸孔の軸まわりに回動可能とされた一対のトグルレバーと、
前記一対のトグルレバーを付勢する一対のバネと、
第３の光通過孔を有し、前記一対のトグルレバーを前記一対のバネで前記第３の光通過孔側に付勢しながら前記リングと対向する面の外周部上に前記第３の光通過孔を挟んで互に対向して回動可能に支持するベース枠と、備え、
前記一対のトグルレバー係合用ボス部を前記リングの正逆転に伴って前記一対の凹状切欠部内の各端部で押しながら前記一対の三角状カム部に沿って摺動させることで、前記一対のレンズバリアを、前記一対のトグルレバーと前記一対のバネとにより閉じた状態又は開いた状態に保持させることを特徴とするレンズバリア装置である。
【００１２】
また、第２の発明は、上記した第１の発明のレンズバリア装置において、
前記一対のトグルレバー係合用ボス部を前記一対の三角状カム部のうちの一方の斜面側に位置させたときに、前記一対のレンズバリアを前記一対のトグルレバーを介して前記一対のバネで閉じ方向に付勢すると共に、前記一対のトグルレバー係合用ボス部を前記一対の三角状カム部のうちの他方の斜面側に位置させたときに、前記一対のレンズバリアを前記一対のトグルレバーを介して前記一対のバネで開き方向に付勢することを特徴とするレンズバリア装置である。
【００１３】
また、第３の発明は、上記した第１又は第２の発明のレンズバリア装置において、
前記リングをモータ駆動源により正逆転させることを特徴とするである。
【００１４】
また、第４の発明は、上記した第３の発明のレンズバリア装置において、
前記モータ駆動源により前記リングを回転させて少なくとも前記一対のレンズバリアが閉じ状態に至ったときに、前記リングを前記レンズバリア閉じ位置と前記レンズバリア開き位置との間に設定した中間位置に待機させることを特徴とするレンズバリア装置である。
【００１５】
更に、第５の発明は、上記した第３又は第４の発明のレンズバリア装置において、
前記リングに形成したリング駆動用ボス部と、前記モータ駆動源と連結した減速用歯車列と、前記減速用歯車列中で所定の角度に亘って正逆転する最終段の歯車に一体的に掛止させた二股状ネジリバネとを備え、前記最終段の歯車と一体に正逆転する前記二股状ネジリバネの二股間に前記リング駆動用ボス部を係合させたことを特徴とするレンズバリア装置である。
【発明の効果】
【００１６】
上記した第１の発明のレンズバリア装置によると、品質向上及び信頼性向上を図ることができる。
【００１７】
また、上記した第２の発明のレンズバリア装置によると、一対のレンズバリアを確実に開閉できる。
【００１８】
また、上記した第３の発明のレンズバリア装置によると、一対のレンズバリアの開閉動作を自動化することができる。
【００１９】
また、上記した第４の発明のレンズバリア装置によると、少なくとも一対のレンズバリアを手動で開くことができるので、緊急対応が可能となる。
【００２０】
更に、上記した第５の発明のレンズバリア装置によると、二股状ネジリバネの二股間にリングのリング駆動用ボス部を係合させて組立てたときに、組立ての位相がないので、位相ずれが発生せず、且つ、リングを所定の角度範囲内でオーバーストロークなく確実に正逆転させることができる。
【図面の簡単な説明】
【００２１】
【図１】本発明に係るレンズバリア装置を取り付けたビデオカメラを示した図であり、（ａ）は一対のレンズバリアがレンズバリア閉じ位置に至った状態を示し、（ｂ）は一対のレンズバリアがレンズバリア開き位置に至った状態を示し、（ｃ）はビデオカメラの全体構成を示した図である。
【図２】本発明に係るレンズバリア装置を分解して示した分解斜視図である。
【図３】本発明に係るレンズバリア装置において、レンズバリアのうちでメインレンズバリアを説明するための図であり、（ａ）は側面図，（ｂ）は平面図，（ｃ）は上下一対のメインレンズバリアを示した平面図、（ｄ）は（ｃ）中のア部断面図である。
【図４】本発明に係るレンズバリア装置において、レンズバリアのうちでサブレンズバリアを説明するための図であり、（ａ）は側面図，（ｂ）は平面図，（ｃ）は上下一対のサブレンズバリアを示した平面図である。
【図５】本発明に係るレンズバリア装置において、一対のメインレンズバリア上に一対のサブレンズバリアを搭載した状態を拡大して示した平面図であり、（ａ）は閉じた状態を示し、（ｂ）は開いた状態を示した図である。
【図６】本発明に係るレンズバリア装置において、ベース枠の外周部左右に一対のトグルレバーと一対のネジリバネとを上下左右対称に取り付けた状態を示した平面図である。
【図７】図６に示したトグルレバーとネジリバネとを拡大して示した平面図である。
【図８】本発明に係るレンズバリア装置において、ベース枠のボックス部に取り付けたリング駆動機構部を拡大して示した平面図である。
【図９】図８に示したリング駆動用欠歯歯車と、このリング駆動用欠歯歯車に掛止した二股状ネジリバネとを裏面側から見た平面図である。
【図１０】本発明に係るレンズバリア装置において、ベース枠のボックス部内に取り付けた第１，第２光センサをリング駆動用欠歯歯車に形成した第１，第２光センサ遮蔽部で検出したときに、リングの回転位置を模式的に示した図である。
【図１１】本発明に係るレンズバリア装置の動作を説明するための図であり、（ａ），（ｂ）はレンズバリアが閉じられてリングが中間位置で待機している状態を示した図である。
【図１２】レンズバリアが閉じられてリングが中間位置で待機している状態において、（ａ）はレンズバリアを手動で開く動作を示し、（ｂ）はリングを自動でレンズバリア開き位置方向に回転させる動作を示した図である。
【図１３】本発明に係るレンズバリア装置の動作を説明するための図であり、（ａ），（ｂ）はレンズバリアが略半分開いた状態を示した図である。
【図１４】本発明に係るレンズバリア装置の動作を説明するための図であり、（ａ），（ｂ）はレンズバリアが完全に開かれる状態を示した図である。
【図１５】本発明に係るレンズバリア装置の動作を説明するための図であり、（ａ），（ｂ）はレンズバリアが開かれてリングが中間位置で待機している状態を示した図である。
【図１６】レンズバリアが開かれてリングが中間位置で待機している状態において、（ａ）はレンズバリアを手動で開く動作を示し、（ｂ）はリングを自動でレンズバリア閉じ位置方向に回転させる動作を示した図である。
【図１７】本発明に係るレンズバリア装置の動作を説明するための図であり、（ａ），（ｂ）はレンズバリアが完全に閉じられる状態を示した図である。
【発明を実施するための形態】
【００２２】
以下に本発明に係るレンズバリア装置の一実施例について図１〜図１７を参照して詳細に説明する。
【実施例】
【００２３】
図１（ａ）〜（ｃ）に示した如く、本発明に係るレンズバリア装置１０は、例えば、ビデオカメラ１のカメラ筺体２内に設けた撮影レンズ３を保護するために、撮影レンズ３の光軸に合わせてカメラ筺体２の前面２ａ側に取り付けられている。また、カメラ筺体２の側面２ｂには、撮影レンズ３で撮影した被写体像や再生画像を表示する液晶パネル部４がヒンジ５により開閉可能に取り付けられている。
【００２４】
尚、この実施例において、レンズバリア装置１０をビデオカメラ１に取り付けているが、これに限ることなく、不図示のカメラやレンズ装置などに取り付けることも可能である。
【００２５】
上記したレンズバリア装置１０は、前面カバー枠１１の裏面側に上下一対のレンズバリア１２，１２が互に対向してそれぞれ上下方向に向かって開閉可能に設けられている。
【００２６】
この実施例において、上下一対のレンズバリア１２，１２は、同じ部品を上下左右対称に向きを変えて互いに対向するように取り付けられており、且つ、上下一対のメインレンズバリア１２Ａ，１２Ａと、上下一対のメインレンズバリア１２Ａ，１２Ａ上に搭載されて上下一対のメインレンズバリア１２Ａ，１２Ａに連動する上下一対のサブレンズバリア１２Ｂ，１２Ｂとにより４枚羽根で構成されている。
【００２７】
尚、上下一対のレンズバリア１２，１２として、メインレンズバリアとサブレンズバリアとを一体にして４枚羽根構成の場合よりも大きく形成すれば２枚羽根構成も可能である。
【００２８】
そして、図１（ａ）に示したように、前面カバー枠１１に形成した略矩形状の光通過孔１１ａが上下一対のレンズバリア１２，１２によって閉じられているときに、ビデオカメラ１のカメラ筺体２内に設けた撮影レンズ３が保護されている。
【００２９】
一方、図１（ｂ）に示したように、ユーザが被写体を撮影するために液晶パネル部４を開き、この液晶パネル部４が開いたことを不図示のセンサにより検出したときに、レンズバリア装置１０内に設けたリング駆動機構部２０のＤＣモータ２１を動作させることで、上下一対のレンズバリア１２，１２が自動的に開き、前面カバー枠１１に形成した光通過孔１１ａが開蓋されるので、被写体を撮影レンズ３で撮影することができる。
【００３０】
ここで、本発明に係るレンズバリア装置１０の全体構成について図２を用いて説明する。
【００３１】
図２に分解して示した如く、本発明に係るレンズバリア装置１０では、被写体側となる前方からカメラ筺体２（図１）側に向かって、前面カバー枠１１と、上下一対のレンズバリア１２（１２Ａ，１２Ｂ），１２（１２Ａ，１２Ｂ）と、上下一対のレンズバリア１２，１２を開閉自在に支持するレンズバリア支持枠１３と、上下一対のレンズバリア１２，１２に形成した一対のトグルレバー係合用ボス部１２ｅ，１２ｅ（図３）を外周部左右に形成した一対の凹状切欠部１４ｄ，１４ｄ内に遊嵌させながらレンズバリア閉じ位置とレンズバリア開き位置との間に亘る所定の角度範囲内を正逆転するリング１４と、一対のレンズバリア１２，１２に形成した一対のトグルレバー係合用ボス部１２ｅ，１２ｅをリング１４の正逆転に伴ってリング１４に形成した一対の凹状切欠部１４ｄ，１４ｄ内の各端部で押しながら一対のトグルレバー係合用ボス部１２ｅ，１２ｅが摺動する一対のトグルレバー１５，１５と、一対のトグルレバー１５，１５を付勢する一対のネジリバネ１６，１６と、一対のトグルレバー１５，１５を一対のネジリバネ１６，１６で付勢しながらリング１４と対向する面の外周部上に互に対向して回動可能に支持するベース枠１７とで構成されている。
【００３２】
この際、前面カバー枠１１の後面１１ｃに一対のレンズバリア１２，１２を支持したレンズバリア支持枠１３を固着させると共に、レンズバリア支持枠１３とベース枠１７との間にリング１４を正逆転可能に介装させた状態で前面カバー枠１１をベース枠１７に着脱可能に取り付けることで、レンズバリア装置１０が組み立てられている。
【００３３】
ここで、各部材を具体的に説明すると、前面カバー枠１１は、黒色樹脂材を用いて枠状に一体成形されており、撮影レンズ３（図１）に対して光軸を合わせて光通過孔１１ａが前面１１ｂと後面１１ｃとの間を貫通して略中央部位に略矩形状に穿設され、且つ、光通過孔１１ａの外周部に沿って複数のレンズバリア支持枠取付け用丸孔１１ｄが貫通して穿設されていると共に、外周部側面に沿う適宜な位置に係合孔１１ｅ１（但し、図２中では１箇所のみ図示）を有するベース枠取付け片１１ｅがベース枠１７に向かって弾性変位可能に複数突出形成されている。
【００３４】
次に、上下一対のレンズバリア１２，１２は、前述したように、上下一対のメインレンズバリア１２Ａ，１２Ａと、上下一対のサブレンズバリア１２Ａ，１２Ｂとにより４枚羽根で構成されている。
【００３５】
この際、図３（ａ），（ｂ）に拡大して示した如く、レンズバリア１２のうちでメインレンズバリア１２Ａは黒色樹脂材を用いて一体成形されており、一端側に羽根部１２ａが厚さＴで形成され、この羽根部１２の付け根に軸孔１２ｂを有するサブバリア支持用ボス部１２ｃが前方となる側に向かって突出されていると共に、軸孔１２ｂ及びサブバリア支持用ボス部１２ｃを介した他端側にストッパ用突出片１２ｄが前方となる側に向かって突出され且つこの実施例の要部となるトグルレバー係合用ボス部１２ｅが後方となる側に向かって突出されている。
【００３６】
この際、メインレンズバリア１２Ａの羽根部１２ａは、上下に対向させて突き合せる突き合せ部位が略三角波状に形成されており、突き合せ部位のうちで左側前方端面に第１テーパ一面１２ａ１が後面側に向かって形成され、且つ、右側前方端面に第２テーパ一面１２ａ２が前面側に向かって形成されている。
【００３７】
そして、同一の金型により成形された２つのメインレンズバリア１２Ａ，１２Ａを上下左右対称に向きを変えて互いに対向させると、図３（ｃ）に拡大して示した如くとなり、上下で同一部品を用いることができるので、レンズバリア装置１０を安価に製作できる。
【００３８】
この際、同一部品による上下一対のメインレンズバリア１２Ａ，１２Ａの羽根部１２ａ，１２ａの突き合せ部位同士を互に対向させたときに、一方のメインレンズバリア１２Ａに形成した第１テーパ一面１２ａ１と、他方のメインレンズバリア１２Ａに形成した第２テーパ一面１２ａ２とが図３（ｃ），（ｄ）に示したように互いに重なり合うので、上下一対のメインレンズバリア１２，１２が閉じた時に、光の漏れがなく、且つ、塵埃などが内部に侵入しないようになっている。
【００３９】
一方、図４（ａ），（ｂ）に拡大して示した如く、レンズバリア１２のうちでサブレンズバリア１２Ｂも黒色樹脂材を用いて一体成形されており、一端側に羽根部１２ｆが厚さＴで形成され、この羽根部１２ｆの付け根に軸孔１２ｇがメインレンズバリア１２Ａのサブバリア支持用ボス部１２ｃ（図３）に嵌合して回動可能に穿設されている。
【００４０】
また、サブレンズバリア１２Ｂの羽根部１２ｆの一端にストッパ片１２ｈが突出形成され、且つ、軸孔１２ｇを介した他端側にストッパ片１２ｉと凹状切欠部１２ｊとが形成され、この凹状切欠部１２ｊ内にメインレンズバリア１２Ａのストッパ用突出片１２ｅ（図３）が臨むことで、メインレンズバリア１２Ａと連動してサブレンズバリア１２Ｂが開閉できるようになっている。
【００４１】
そして、同一の金型により成形された２つのサブレンズバリア１２Ｂ，１２Ｂを上下左右対称に向きを変えて互いに対向させると、図４（ｃ）に拡大して示した如くとなり、上下で同一部品を用いることができるので、レンズバリア装置１０を安価に製作できる。
【００４２】
更に、図５（ａ）に示した如く、上下一対のメインレンズバリア１２Ａ，１２Ａの羽部１２ａ，１２ａ同士を突き合わせた状態で上下一対のメインレンズバリア１２Ａ，１２Ａの前面側に突出させたサブバリア支持用ボス部１２ｃ，１２ｃに上下一対のサブレンズバリア１２Ｂ，１２Ｂに穿設した軸孔１２ｇ，１２ｇを嵌合させて、各メインレンズバリア１２Ａの羽根部１２ａ上に各サブレンズバリア１２Ｂの羽根部１２ｆの一部を重ね合わせると、上下一対のメインレンズバリア１２Ａ，１２Ａが閉じた状態となる。
【００４３】
一方、図５（ｂ）に示した如く、後述するレンズバリア開蓋動作により、上下一対のメインレンズバリア１２Ａ，１２Ａの軸孔１２ｂ，１２ｂを中心にして各メインレンズバリア１２Ａを開くと、各メインレンズバリア１２Ａに連動して各サブレンズバリア１２Ｂも各メインレンズバリア１２Ａのサブバリア支持用ボス部１２ｃを中心にして開くので、各メインレンズバリア１２Ａの羽根部１２ａと各サブインレンズバリア１２Ｂの羽根部１２ｆとが互に重なり合って開いた状態に至る。
【００４４】
図２に戻り、レンズバリア支持枠１３は、黒色樹脂材を用いて枠状に一体成形されており、撮影レンズ３（図１）に対して光軸を合わせて光通過孔１３ａが前面１３ｂと後面１３ｃとの間を貫通して略中央部位に略矩形状に穿設されていると共に、光通過孔１３ａを挟んで前面１３ｂ側の外周部左右に上下一対のメインレンズバリア１２Ａ，１２Ａに形成した一対の軸孔１２ｂ，１２ｂを回動自在に支持する一対のバリア支持軸１３ｄ，１３ｄが突出形成されていると共に、前面１３ｂ側の外周部左右に前面カバー枠１１に形成した複数のレンズバリア支持枠取付け丸１１ｄに嵌合して取り付けられる複数の取り付け用ボス部１３ｅが突出形成されている。
【００４５】
また、レンズバリア支持枠１３の外周部左右に一対の凹状切欠部１３ｆ，１３ｆが凹状に形成されており、これら一対の凹状切欠部１３ｆ，１３ｆ内に上下一対のメインレンズバリア１２Ａ，１２Ａに形成した一対のトグルレバー係合用ボス部１２ｅ，１２ｅが臨んでいる。
【００４６】
尚、この実施例では、上下一対のレンズバリア１２，１２に形成した一対の軸孔１２ｂ，１２ｂをレンズバリア支持枠１３に形成した一対のバリア支持軸１３ｄ，１３ｄに開閉自在に嵌合させているが、レンズバリア１２側に支持軸、レンズバリア支持枠１３側に軸孔を有するボス部を形成して両者の関係を入れ換えることも可能である。
【００４７】
尚更に、レンズバリア支持枠１３の外周部左右に一対の凹状切欠部１３ｆ，１３ｆを形成することなく外周部左右間を狭めて、上下一対のメインレンズバリア１２Ａ，１２Ａに形成した一対のトグルレバー係合用ボス部１２ｅ，１２ｅがリング１４側に臨めるようにしてもよい。
【００４８】
次に、正逆転可能とされるリング１４は、黒色樹脂材を用いて略円環状に一体成形されており、撮影レンズ３（図１）に対して光軸を合わせて光通過孔１４ａが前面１４ｂと後面１４ｃとの間を貫通して略中央部位に丸孔状に穿設されていると共に、光通過孔１４ａを挟んで外周部左右に上下一対のメインレンズバリア１２Ａ，１２Ａに形成した一対のトグルレバー係合用ボス部１２ｅ，１２ｅが遊嵌可能に進入する一対の凹状切欠部１４ｄ，１４ｄが円周方向に沿ってそれぞれ所定の角度に亘って凹状に形成されている。
【００４９】
また、リング１４の外周部位で一対の凹状切欠部１４ｄ，１４ｄ間には、前面１４ｂよりも一段低く形成した段差部１４ｅの中央部位にリング駆動用ボス部１４ｆが突出形成されており、このリング駆動用ボス部１４ｆに後述するリング駆動機構部２０内に設けたリング駆動用欠歯歯車２５に掛止された二股状ネジリバネ２６が係合している。
【００５０】
そして、リング１４は、レンズバリア支持枠１３と対向して後述するようにレンズバリア閉じ位置とレンズバリア開き位置との間を正逆転可能になっている。
【００５１】
次に、ベース枠１７は、黒色樹脂材を用いて枠状に一体成形されており、撮影レンズ３（図１）に対して光軸を合わせて光通過孔１７ａが前面１７ｂと後面１７ｃとの間を貫通して略中央部位に丸孔状に穿設され、且つ、光通過孔１７ａの外周部に沿う適宜な位置に前面カバー枠１１に弾性変位可能に形成したベース枠取付け片１１ｄの係合孔１１ｅ１（図２）に係合する係合突起（図示せず）を有する側壁部１７ｄが前面カバー枠１１側に向かって複数突出形成されている。
【００５２】
また、ベース枠１７の前面１７ｂ上の外周部には、図６にも拡大して示した如く、図示左上方部位と図示右下方部位とに一対のトグルレバー支持軸１７ｅ，１７ｅがリング１４（図２）側に向かって突出形成されており、これら一対のトグルレバー支持軸１７ｅ，１７ｅに一対のトグルレバー１５，１５に形成した一対の軸孔１５ａ，１５ａが嵌合して一対のトグルレバー１５，１５が一対のネジリバネ１６，１６によって内周側の光通過孔１７ａ側に向かって付勢されている。
【００５３】
尚、この実施例では、一対のトグルレバー１５，１５に形成した一対の軸孔１５ａ，１５ａをベース枠１７に形成した一対のトグルレバー支持軸１７ｅ，１７ｅに回動自在に嵌合させているが、トグルレバー１５側に支持軸、ベース枠１７側に軸孔を有するボス部を形成して両者の関係を入れ換えることも可能である。
【００５４】
上記したトグルレバー１５は、図７に拡大して示した如く、耐摩耗性を有するデルリン（登録商標）を用いて一体成形されており、軸孔１５ａを介した一端側にレバー部１５ｂが平坦に形成されていると共に、側壁部１５ｃが軸孔１５ａ側からレバー部１５ｂの側面に沿って突出形成され、更に、側壁部１５ｃに続いてこの実施例の要部となる三角状カム部１５ｄもレバー部１５ｂの側面に沿って突出形成されて、この三角状カム部１５ｄにレンズバリア１２に形成したトグルレバー係合用ボス部１２ｅが摺動可能になっている。
【００５５】
また、トグルレバー１５の軸孔１５ａを介した他端側にバネ掛止部１５ｅが形成され、このバネ掛止部１５ｅにネジリジネ１６のリング部１６ａから延出させた一端部１６ｂが掛止されていると共に、リング部１６ａから延出させた他端部１６ｃはベース枠１７の前面１７ｂ上に形成したバネ掛止部１７ｆ（図６）に掛止されるようになっている。
【００５６】
この際、ネジリジネ１６は、後述するように、レンズバリア１２が閉じているときにトグルレバー１５を介してレンズバリア１２を閉じ方向に付勢する一方、レンズバリア１２が開いているときにトグルレバー１５を介してレンズバリア１２を開き方向に付勢する機能を有している。
【００５７】
そして、同一の金型により成形された２つのトグルレバー１５，１５を上下左右対称に向きを変えて互いに対向させてベース枠１７の前面１７ｂ上の外周部左右に取り付けた際に、図６に示したように、一対のトグルレバー１５，１５は、各側壁部１５ｃ及び各三角状カム部１５ｄが内周側の光通過孔１７ａ側に向かように配置されている。
【００５８】
更に、ベース枠１７の外周部でリング１４に形成した段差部１４ｅ（図２）と対向する部位にボックス部１７ｇが枠状に形成されており、このボックス部１７ｇ内には、図６に拡大して示したように、モータウォーム用ニゲ孔１７ｈが貫通して穿設されていると共に、第１，第２歯車支持軸１７ｉ，１７ｊが間隔を離して立設されている。
【００５９】
そして、図８に拡大して示した如く、ベース枠１７のボックス部１７ｇには、リング１４（図２）を自動で正逆転させるリング駆動機構部２０が取り付けられている。
【００６０】
上記したリング駆動機構部２０は、モータ駆動源となる正逆転可能なＤＣモータ２１がベース枠１７に形成したボックス部１７ｇの裏面側に取り付けられて、このＤＣモータ２１のモータ軸に固着したモータウォーム２２がボックス部１７ｇ内に臨んでいると共に、プリント配線基板３０（図２）に半田付けした第１，第２光センサ３１，３２がボックス部１７ｇの裏面側からボックス部１７ｇ内に臨んでいる。
【００６１】
また、ボックス部１７内には、モータウォーム２２の近傍に平歯車とウォームとを左右に一体化した複合歯車２３が回転可能に横設されていると共に、複合歯車２３のウォームを挟んだ一方側に立設した第１歯車支持軸１７ｉに小径平歯車と大径平歯車とを積層した２段平歯車２４が回転可能に支持され、且つ、他方側に立設した第２歯車支持軸１７ｊにリング駆動用欠歯歯車２５が回転可能に支持されている。
【００６２】
従って、リング駆動機構部２０において、ＤＣモータ２１のモータ軸に固着させたモータウォーム２２を正転又は逆転させると、このモータウォーム２２の回転がこれと噛合した複合歯車２３の平歯車から一体に回転するウォームに伝達され、且つ、複合歯車２３のウォームに噛合した２段平歯車２４の小径平歯車からこれと一体な大径平歯車に伝達され、更に２段平歯車２４の大径平歯車がリング駆動用欠歯歯車２５に噛合することで減速用歯車列２１〜２５が構成され、この減速用歯車列２１〜２５中の最終段のリング駆動用欠歯歯車２５が所定の角度範囲内に亘って正転又は逆転するようになっている。
【００６３】
尚、リング駆動機構部２０内に設けた減速用歯車列２１〜２５は一例であって、ＤＣモータ２１に代えてモータ駆動源としてギアードモータ（図示せず）を用いてリング駆動用欠歯歯車２５を駆動することも可能である。
【００６４】
ここで、上記したリング駆動用欠歯歯車２５の裏面側を図９に拡大して示すと、このリング駆動用欠歯歯車２５は、軸孔２５ａと同心的に一対の外周壁２５ｂ，２５ｂが外周部２５ｃの左右に沿って突出形成されており、且つ、一対の外周壁２５ｂ，２５ｂ間に欠歯歯車部２５ｄが所定の角度に亘って形成され、更に、欠歯歯車部２５ｄの両側外周部に第１，第２光センサ遮蔽部２５ｅ，２５ｆが径方向に突出形成されている。
【００６５】
また、リング駆動用欠歯歯車２５の裏面内部には二股状ネジリバネ２６が掛止されており、且つ、この二股状ネジリバネ２６がリング駆動用欠歯歯車２５と一体になって正逆転するようになっている。
【００６６】
上記した二股状ネジリバネ２６は、リング駆動用欠歯歯車２５の一対の外周壁２５ｂ，２５ｂの各内壁に略沿って取り付けられ且つリング駆動用欠歯歯車２５の欠歯歯車部２５ｄの内側に形成したバネ掛止部２５ｇに掛止されるリング部２６ａと、このリング部２６ａから二股状に分かれてリング駆動用欠歯歯車２５の欠歯歯車部２５ｄと軸孔２５ａを介した反対側の外周部２５ｃの外側に向かって延出される二股部２６ｂとを有している。
【００６７】
そして、図８に示したように、リング駆動用欠歯歯車２５の裏面側に掛止させた二股状ネジリバネ２６の二股間となる二股部２６ｂに、リング１４の段差部１４ｅ上に突出形成させたリング駆動用ボス部１４ｆを係合させると、リング駆動用欠歯歯車２５が所定の角度範囲に亘って正転又は逆転する動作に伴って二股状ネジリバネ２６を介してリング１４も所定の角度範囲に亘って正転又は逆転するようになっている。
【００６８】
この際、リング駆動用欠歯歯車２５でリング１４を直接回転駆動させると、リング駆動用欠歯歯車２５の回転時にＤＣモータ２１を含めた減速用歯車列２１〜２５の慣性力によりオーバーストロークが発生する。そこで、リング駆動用欠歯歯車２５に掛止してこれと一体に回転する二股状ネジリバネ２６を撓ませることで上記したオーバーストローク分を吸収しながらリング１４を回転させているので、リング１４を所定の角度範囲内でオーバーストロークなく確実に正逆転させることができる。
【００６９】
また、ＤＣモータ２１と連結した減速用歯車列２１〜２５中で所定の角度に亘って正逆転する最終段のリング駆動用欠歯歯車２５に一体的に掛止させた二股状ネジリバネ２６の二股間に、リング１４のリング駆動用ボス部１４ｆを係合させて組立てたときに、組立ての位相がないので、位相ずれが発生しない。この際、部品の向きなどを精密に合わせることなく組立てができるので、組立て性が向上する。
【００７０】
更に、ベース枠１７のボックス部１７ｇ内に取り付けた第１，第２光センサ３１，３２を、リング駆動用欠歯歯車２５の左右に形成した第１，第２光センサ遮蔽部２５ｅ，２５ｆで検出することで、図１０に示したように、第１，第２光センサ３１，３２の各出力の組み合わせにより、リング１４が所定の角度範囲に亘って正逆転した時の回転位置を検出している。
【００７１】
具体的には、第１，第２光センサ３１，３２の各出力がＬ（ロー），Ｈ（ハイ）の場合に、上下一対のレンズバリア１２，１２を閉じるようにリング１４がレンズバリア閉じ位置に至る。一方、第１，第２光センサ３１，３２の各出力がＨ，Ｌの場合に、上下一対のレンズバリア１２，１２を開くようにリング１４がレンズバリア開き位置に至る。また、第１，第２光センサ３１，３２の各出力がＨ，Ｈの場合に、レンズバリア閉じ位置とレンズバリア開き位置の中間位置に至り、この中間位置は上下一対のレンズバリア１２，１２が開閉する途中に通過する位置であり、更に、後述するように上下一対のレンズバリア１２，１２が完全に開閉したときにリング１４を待機させる位置でもある。
【００７２】
ここで、上記のように構成した本発明に係るレンズバリア装置１０の動作について図１１〜図１７を用いて順を追って説明する。
【００７３】
まず、図１１（ａ），（ｂ）に示した状態は、レンズバリア１２が閉じられてリング１４が中間位置で待機している状態である。従って、この状態は、ビデオカメラ１（図１）を使用しないときに、レンズバリア装置１０が初期状態に保持されている状態でもある。
【００７４】
即ち、図１１（ａ）に拡大して示した如く、レンズバリア１２はこの軸孔１２ｂがレンズバリア支持枠１３のバリア支持軸１３ｄに回動可能に支持され、且つ、トグルレバー１５はこの軸孔１５ａがベース枠１７のトグルレバー支持軸１７ｅに回動可能に支持されている。そして、レンズバリア１２の軸孔１２ｂを介した他端側に形成したトグルレバー係合用ボス部１２ｅが、トグルレバー１５に形成した三角状カム部１５ｄのうちで側壁部１５ｃ側に位置する一方の斜面側に入り込んでおり、レンズバリア１２がトグルレバー１５を介してネジリバネ１６により閉じ方向に付勢されている。
【００７５】
一方、リング駆動用欠歯歯車２５は、ここに形成した第１，第２光センサ遮蔽部２５ｅ，２５ｆが第１，第２光センサ３１，３２を遮蔽し、且つ、リング駆動用欠歯歯車２５に掛止された二股状ネジリバネ２６が、リング１４の段差部１４ｅの中央部位に形成したリング駆動用ボス部１４ｆに係合しているが、リング駆動用欠歯歯車２５が停止しているので、リング１４はレンズバリア閉じ位置とレンズバリア開き位置との間に設定した中間位置で停止して待機している。
【００７６】
この際に、レンズバリア１２のトグルレバー係合用ボス部１２ｅは、リング１４の外周部に形成した凹状切欠部１４ｄ内のうちでリング駆動用ボス部１４ｆ側に位置する一端部に接近しており、且つ、レンズバリア１２のトグルレバー係合用ボス部１２ｅは、凹状切欠部１４ｄ内の一端部からこれと反対側の他端部への移動が許容されている。
【００７７】
従って、図１１（ｂ）に示した如く、上下一対のレンズバリア１２，１２は、一対のトグルレバー１５，１５を介して一対のネジリバネ１６，１６により閉じ方向に付勢されたままの状態で保持されている。
【００７８】
また、図１２（ａ），（ｂ）も図１１（ａ），（ｂ）と同様に、レンズバリア１２が閉じられてリング１４が中間位置で待機している状態である。
【００７９】
ここで、レンズバリア装置１０が何等かの理由で故障して、リング駆動用欠歯歯車２５と一体に回転する二股状ネジリバネ２６を介してリング１４を自動で回転させることができない場合に、被写体の撮影時にレンズバリア１２を自動的に開くことができないが、図１２（ａ）に示した如く、ユーザがピンセットなどにより手動でレンズバリア１２をレンズバリア支持枠１３のバリア支持軸１３ｄを中心にして開き方向に回動させると、レンズバリア１２のトグルレバー係合用ボス部１２ｅは停止中のリング１４の凹状切欠部１４ｄ内を一端部から他端部に移動可能である。
【００８０】
上記に伴って、トグルレバー係合用ボス部１２ｅはトグルレバー１５の三角状カム部１５ｄのうちで側壁部１５ｃ側に位置する一方の斜面から頂点を乗り越えて側壁部１５ｃ側とは反対側に位置する他方の斜面に向かうようにトグルレバー１５の三角状カム部１５ｄの頂点を押すので、トグルレバー１５がベース枠１７のトグルレバー支持軸１７ｅを中心にしてネジリバネ１６に付勢されながら時計方向に回動した後に反時計方向に回動して往復する。これにより、レンズバリア１２がトグルレバー１５を介してネジリバネ１６により開き方向に付勢された状態で開かれる。
【００８１】
一方、レンズバリア装置１０が故障していない場合には、リング駆動用欠歯歯車２５と一体に回転する二股状ネジリバネ２６を介してリング１４を自動で回転させることができるので、図１２（ｂ）に示した如く、リング駆動用欠歯歯車２５に掛止され且つリング１４のリング駆動用ボス部１４ｆに係合した二股状ネジリバネ２６をリング駆動用欠歯歯車２５と一体に時計方向に回転させると、中間位置で停止しているリング１４が自動で開き位置方向（反時計方向）に回転し始め、リング１４の凹状切欠部１４ｄ内の一端部でレンズバリア１２のトグルレバー係合用ボス部１２ｅを押すので、レンズバリア１２が開き方向に向かって回動を開始する。
【００８２】
次に、図１３（ａ），（ｂ）に示した状態は、レンズバリア１２が略半分開いた状態である。
【００８３】
即ち、図１３（ａ）に拡大して示した如く、リング駆動用欠歯歯車２５と一体に二股状ネジリバネ２６を時計方向に更に回転させてリング１４を更に反時計方向に回転させると、リング１４の凹状切欠部１４ｄ内の一端部でレンズバリア１２のトグルレバー係合用ボス部１２ｅを押し、且つ、このトグルレバー係合用ボス部１２ｅがトグルレバー１５の三角状カム部１５ｄの頂点を押すので、トグルレバー１５がベース枠１７のトグルレバー支持軸１７ｅを中心にしてネジリバネ１６の付勢力に抗しながら時計方向に回動すると共に、レンズバリア１２がレンズバリア支持枠１３のバリア支持軸１３ｄを中心にして反時計方向に回動して略半分ほど開く。
【００８４】
従って、図１３（ｂ）に示した如く、上下一対のレンズバリア１２Ａ，１２Ａは略半分開く。
【００８５】
次に、図１４（ａ），（ｂ）に示した状態は、レンズバリア１２が完全に開かれる状態である。
【００８６】
即ち、図１４（ａ）に拡大して示した如く、リング駆動用欠歯歯車２５と一体に二股状ネジリバネ２６を時計方向により更に回転させ、リング１４をより更に反時計方向に回転させると、リング１４の凹状切欠部１４ｄ内の一端部でレンズバリア１２のトグルレバー係合用ボス部１２ｅを押し、且つ、このトグルレバー係合用ボス部１２ｅがトグルレバー１５の三角状カム部１５ｄの頂点を乗り越えて側壁部１５ｃ側とは反対側に位置する他方の斜面側に入り込むので、トグルレバー１５がベース枠１７のトグルレバー支持軸１７ｅを中心にして反時計方向に回動してレンズバリア１２をネジリバネ１６により開き方向に付勢すると共に、レンズバリア１２がレンズバリア支持枠１３のバリア支持軸１３ｄを中心にして反時計方向に回動して完全に開く。
【００８７】
この際、リング駆動用欠歯歯車２５は、ここに形成した第１光センサ遮蔽部２５ｅで第１光センサ３１を遮蔽する一方、第２光センサ遮蔽部２５ｆは第２光センサ３２を遮蔽しなくなるので、リング１４はレンズバリア開き位置で停止する。
【００８８】
従って、図１４（ｂ）に示した如く、上下一対のレンズバリア１２，１２は、一対のトグルレバー１５，１５を介して一対のネジリバネ１６，１６により開き方向に付勢された状態で完全に開く。
【００８９】
この後、レンズバリア１２が完全に開いたままの状態で、リング駆動用欠歯歯車２５と一体に二股状ネジリバネ２６を上記に対して逆転させて反時計方向に回転させると、リング１４が図１５（ａ），（ｂ）に示した中間位置に至って停止する。
【００９０】
そして、図１５（ａ），（ｂ）に示した状態は、レンズバリア１２が開かれてリング１４が中間位置で待機している状態である。この状態は、ユーザがビデオカメラ１（図１）を使用中で、レンズバリア装置１０が撮影状態に保持されている状態でもある。
【００９１】
即ち、図１５（ａ）に拡大して示した如く、レンズバリア１２のトグルレバー係合用ボス部１２ｅが、トグルレバー１５に形成した三角状カム部１５ｄのうちで側壁部１５ｃ側とは反対側に位置する他方の斜面側に入り込んでおり、レンズバリア１２がトグルレバー１５を介してネジリバネ１６により開き方向に付勢されている。
【００９２】
一方、リング駆動用欠歯歯車２５は、ここに形成した第１，第２光センサ遮蔽部２５ｅ，２５ｆが第１，第２光センサ３１，３２を遮蔽し、且つ、リング駆動用欠歯歯車２５に掛止された二股状ネジリバネ２６が、リング１４の段差部１４ｅの中央部位に形成したリング駆動用ボス部１４ｆに係合しているが、リング駆動用欠歯歯車２５が停止しているので、リング１４はレンズバリア閉じ位置とレンズバリア開き位置との間に設定した中間位置で停止して待機している。この際に、レンズバリア１２のトグルレバー係合用ボス部１２ｅは、リング１４の外周部に形成した凹状切欠部１４ｄ内のうちでリング駆動用ボス部１４ｆ側に位置する一端部とは反対側の他端部に接近しており、且つ、レンズバリア１２のトグルレバー係合用ボス部１２ｅは、凹状切欠部１４ｄ内の他端部から一端部への移動が許容されている。
【００９３】
従って、図１５（ｂ）に示した如く、上下一対のレンズバリア１２，１２は、一対のトグルレバー１５，１５を介して一対のネジリバネ１６，１６により開き方向に付勢されたままの状態で保持されている。
【００９４】
また、図１６（ａ），（ｂ）も図１５（ａ），（ｂ）と同様に、レンズバリア１２が開かれてリング１４が中間位置で待機している状態である。
【００９５】
ここで、レンズバリア装置１０が何等かの理由で故障して、リング駆動用欠歯歯車２５と一体に回転する二股状ネジリバネ２６を介してリング１４を自動で回転させることができない場合に、被写体の撮影後にレンズバリア１２を自動的に閉じることができないが、図１６（ａ）に示した如く、ユーザがピンセットなどにより手動でレンズバリア１２をレンズバリア支持枠１３のバリア支持軸１３ｄを中心にして閉じ方向に回動させると、レンズバリア１２のトグルレバー係合用ボス部１２ｅは停止中のリング１４の凹状切欠部１４ｄ内を他端部から一端部に移動可能である。
【００９６】
上記に伴って、トグルレバー係合用ボス部１２ｅはトグルレバー１５の三角状カム部１５ｄのうちで側壁部１５ｃ側とは反対側に位置する他方の斜面から頂点を乗り越えて側壁部１５ｃ側に位置する一方の斜面に向かうようにトグルレバー１５の三角状カム部１５ｄの頂点を押すので、トグルレバー１５がベース枠１７のトグルレバー支持軸１７ｅを中心にしてネジリバネ１６に付勢されながら時計方向に回動した後に反時計方向に回動して往復する。これにより、レンズバリア１２がトグルレバー１５を介してネジリバネ１６により閉じ方向に付勢された状態で閉じられる。
【００９７】
一方、レンズバリア装置１０が故障していない場合には、リング駆動用欠歯歯車２５と一体に回転する二股状ネジリバネ２６を介してリングを自動で回転させることができるので、図１６（ｂ）に示した如く、リング駆動用欠歯歯車２５に掛止され且つリング１４のリング駆動用ボス部１４ｆに係合した二股状ネジリバネ２６をリング駆動用欠歯歯車２５と一体に反時計方向に回転させると、中間位置で停止しているリング１４が自動で閉じ位置方向（時計方向）に回転し始め、リング１４の凹状切欠部１４ｄ内のうちで一端部とは反対側の他端部でレンズバリア１２のトグルレバー係合用ボス部１２ｅを押すので、レンズバリア１２が閉じ方向に向かって回動を開始する。
【００９８】
この後、図示を省略するが、リング駆動用欠歯歯車２５と一体に二股状ネジリバネ２６を時計方向に更に回転させてリング１４を更に時計方向に回転させると、リング１４の凹状切欠部１４ｄ内のうちで一端部とは反対側の他端部でレンズバリア１２のトグルレバー係合用ボス部１２ｅを押し、且つ、このトグルレバー係合用ボス部１２ｅがトグルレバー１５の三角状カム部１５ｄの頂点を押してレンズバリア１２を略半分ほど閉じた後、続けてリング駆動用欠歯歯車２５と一体に二股状ネジリバネ２６を時計方向に回転させてリング１４をより更に時計方向に回転させると、図１７（ａ），（ｂ）に示した状態に至る。
【００９９】
そして、図１７（ａ），（ｂ）に示した状態は、レンズバリア１２が完全に閉じられる状態である。
【０１００】
即ち、図１７（ａ）に拡大して示した如く、リング駆動用欠歯歯車２５と一体に二股状ネジリバネ２６を時計方向により更に回転させ、リング１４をより更に反時計方向に回転させると、リング１４の凹状切欠部１４ｄ内のうちで一端部と反対側の他端部でレンズバリア１２のトグルレバー係合用ボス部１２ｅを押し、且つ、このトグルレバー係合用ボス部１２ｅがトグルレバー１５の三角状カム部１５ｄの頂点を乗り越えて側壁部１５ｃ側に位置する一方の斜面側に入り込むので、トグルレバー１５がベース枠１７のトグルレバー支持軸１７ｅを中心にして反時計方向に回動してレンズバリア１２をネジリバネ１６の付勢力により閉じ方向に付勢すると共に、レンズバリア１２がレンズバリア支持枠１３のバリア支持軸１３ｄを中心にして時計方向に回動して完全に閉じる。
【０１０１】
この際、リング駆動用欠歯歯車２５は、ここに形成した第１光センサ遮蔽部２５ｅが第１光センサ３１を遮蔽せず、且つ、第２光センサ遮蔽部２５ｆで第２光センサ３２を遮蔽しているので、リング１４はレンズバリア閉じ位置で停止する。
【０１０２】
従って、図１７（ｂ）に示した如く、上下一対のレンズバリア１２，１２は、一対のトグルレバー１５，１５を介して一対のネジリバネ１６，１６により閉じ方向に付勢された状態で完全に閉じる。
【０１０３】
この後、レンズバリア１２を完全に閉じたままの状態で、リング駆動用欠歯歯車２５と一体に二股状ネジリバネ２６を上記に対して逆転させて時計方向に回転させると、二股状ネジリバネ２６を介してリング１４が反時計方向に回転して先に説明した図１１（ａ），（ｂ）に示した中間位置に戻って停止し、待機状態に至る。
【０１０４】
尚、この実施例では、上下一対のレンズバリア１２，１２が完全に閉じているとき、及び、上下一対のレンズバリア１２，１２が完全に開いているときに、リング１４をレンズバリア閉じ位置とレンズバリア開き位置との間に設定した中間位置で待機させることにより、レンズバリア装置１０が故障した場合に緊急対応として上下一対のレンズバリア１２，１２を手動で開閉できるように構成されているが、これに限ることなく、少なくとも上下一対のレンズバリア１２，１２が完全に閉じているときに、リング１４を中間位置で待機させれば、レンズバリア装置１０が故障した場合に緊急対応として上下一対のレンズバリア１２，１２を手動で開くことができる。
【０１０５】
更に、上下一対のレンズバリア１２，１２が閉じているとき、及び、上下一対のレンズバリア１２，１２が開いているときに、リング１４を中間位置で待機させないでレンズバリア閉じ位置及びレンズバリア開き位置で停止させたままにすることも可能であるが、この場合には上下一対のレンズバリア１２，１２を手動で開閉することはできない。
【０１０６】
尚更に、この実施例では、正逆転可能なリング１４をリング駆動機構部２０内に設けたモータ駆動源（２１）により自動的に駆動して上下一対のレンズバリア１２，１２を開閉させているが、これに限ることなく、ベース枠１７に設けたリング駆動機構部２０を取り外して、リング１４の外周部位から手動操作部を延出させてリング１４をレンズバリア閉じ位置とレンズバリア開き位置との間で手動回転させながら上下一対のレンズバリア１２，１２を開閉させる構造形態を採用することも可能である。
【０１０７】
以上詳述した本発明に係るレンズバリア装置１０によると、とくに、上下一対のレンズバリア１２，１２に形成した一対のトグルレバー係合用ボス部１２ｅ，１２ｅをリング１４の外周部に形成した一対の凹状切欠部１４ｄ，１４ｄ内に遊嵌させて、一対のトグルレバー係合用ボス部１２ｅ，１２ｅをリング１４の正逆転に伴って一対の凹状切欠部１４ｄ，１４ｄ内の各端部で押しながらベース枠１７の外周部に回動可能に支持した一対のトグルレバー１５，１５に形成した一対の三角状カム部１５ｄ，１５ｄに沿って摺動させることで、一対のトグルレバー１５，１５と一対のネジリバネ１６，１６とによって、上下一対のレンズバリア１２，１２を閉じた状態又は開いた状態に確実に保持させることができるので、従来のような操作リングにレンズバリア開閉用のカム溝を形成した場合よりも本発明に係るレンズバリア装置１０の品質向上及び信頼性向上を図ることができる。
【０１０８】
また、本発明に係るレンズバリア装置１０によると、一対のネジリバネ１６，１６は、一対のレンズバリア１２，１２を一対のトグルレバー１５，１５を介して閉じ方向と開き方向とに付勢することができるので、一対のレンズバリア１２，１２を確実に開閉できる。
【０１０９】
また、本発明に係るレンズバリア装置１０によると、リング１４をモータ駆動源（２１）により正逆転させることで、一対のレンズバリア１２，１２の開閉動作を自動化することができる。
【０１１０】
更に、本発明に係るレンズバリア装置１０によると、モータ駆動源（２１）によりリング１４を回転させて少なくとも一対のレンズバリア１２，１２が閉じ状態に至ったときに、リング１４をレンズバリア閉じ位置とレンズバリア開き位置との間に設定した中間位置に待機させているので、レンズバリア装置１０が何等かの理由で故障した場合に、少なくとも一対のレンズバリア１２，１２を手動で開くことができるので、緊急対応が可能となる。
【符号の説明】
【０１１１】
１…ビデオカメラ、２…カメラ筺体、２ａ…前面、２ｂ…側面、３…撮影レンズ、
４…液晶パネル部、５…ヒンジ、
１０…レンズバリア装置、
１１…前面カバー枠、１１ａ…光通過孔、１１ｂ…前面、１１ｃ…後面、
１１ｄ…レンズバリア支持枠取付け用丸孔、
１１ｅ…ベース枠取付け片、１１ｅ１…係合孔、
１２，１２…上下一対のレンズバリア、
１２Ａ，１２Ａ…上下一対のメインレンズバリア、
１２Ｂ，１２Ｂ…上下一対のサブレンズバリア、
１２ａ…羽根部、１２ａ１，１２ａ２…第１，第２テーパ一面、
１２ｂ…軸孔、１２ｃ…サブバリア支持用ボス部、
１２ｄ…ストッパ用突出片、１２ｅ…トグルレバー係合用ボス部、
１２ｆ…羽根部、１２ｇ…軸孔、１２ｈ…ストッパ片、
１２ｉ…ストッパ片、１２ｊ…凹状切欠部、
１３…レンズバリア支持枠、１３ａ…光通過孔、１３ｂ…前面、１３ｃ…後面、
１３ｄ…バリア支持軸、１３ｅ…取り付け用ボス部、１３ｆ…凹状切欠部、
１４…リング、１４ａ…光通過孔、１４ｂ…前面、１４ｃ…後面、
１４ｄ…凹状切欠部、１４ｅ…段差部、１４ｆ…リング駆動用ボス部、
１５，１５…一対のトグルレバー、１５ａ…軸孔、１５ｂ…レバー部、
１５ｃ…側壁部、１５ｄ…三角状カム部、１５ｅ…バネ掛止部、
１６，１６…一対のネジリバネ、１６ａ…リング部、
１６ｂ…一端部、１６ｃ…他端部、
１７…ベース枠、１７ａ…光通過孔、１７ｂ…前面、１７ｃ…後面、
１７ｄ…側壁部、１７ｅ…トグルレバー支持軸、１７ｆ…バネ掛止部、
１７ｇ…ボックス部、１７ｈ…モータウォーム用ニゲ孔、
１７ｉ，１７ｊ…第１，第２歯車支持軸、
２０…リング駆動機構部、２１…ＤＣモータ、２２…モータウォーム、
２３…複合歯車、２４…２段平歯車、
２５…リング駆動用欠歯歯車、２５ａ…軸孔、２５ｂ…外周壁、２５ｃ…外周部、
２５ｄ…欠歯歯車部、２５ｅ，２５ｆ…第１，第２光センサ遮蔽部、
２５ｇ…バネ掛止部、２１〜２５…減速用歯車列、
２６…二股状ネジリバネ、２６ａ…リング部、２６ｂ…二股部、
３０…プリント配線基板、３１，３２…第１，第２光センサ。
【図１】
2011048221.tif 000003
【図２】
2011048221.tif 000004
【図３】
2011048221.tif 000005
【図４】
2011048221.tif 000006
【図５】
2011048221.tif 000007
【図６】
2011048221.tif 000008
【図７】
2011048221.tif 000009
【図８】
2011048221.tif 000010
【図９】
2011048221.tif 000011
【図１０】
2011048221.tif 000012
【図１１】
2011048221.tif 000013
【図１２】
2011048221.tif 000014
【図１３】
2011048221.tif 000015
【図１４】
2011048221.tif 000016
【図１５】
2011048221.tif 000017
【図１６】
2011048221.tif 000018
【図１７】
2011048221.tif 000019